(57)【要約】      （修正有）【課題】  包装体に表示されている懸賞応募用バーコードをカメラ付き携帯電話等で読み取り、通信回線により懸賞に応募するシステムにおいて、商品を購入しない人がバーコードを読み取ることを防止する方法を提供する。【解決手段】  容器表面からは見えないが開封した後に読み取ることができる位置に懸賞応募用バーコードが表示されている包装容器に内容物が包装された包装体。包装体は缶・瓶入り飲料が多数本包装段ボール箱であり、バーコードは段ボール箱の内フラップの外側表面に表示されていることが好ましい。バーコードが二次元バーコードが良い。この包装体からカメラ付き携帯電話等でバーコードを読み取り、通信手段により懸賞に応募する懸賞応募システム。【選択図】    図１
2005298018.tif 000002
【特許請求の範囲】
【請求項１】
容器表面からは見えないが開封した後に読み取ることができる位置に懸賞応募用バーコードが表示されている包装容器に内容物が包装された包装体。
【請求項２】
包装容器は段ボール箱であり、バーコードは段ボール箱の内フラップの外側表面に表示されていることを特徴とする請求項１に記載の包装体。
【請求項３】
該包装容器に缶あるいは瓶入り飲料が多数本包装されていることを特徴とする請求項１または請求項２に記載の包装体。
【請求項４】
バーコードが二次元バーコードであることを特徴とする請求項１〜請求項３のいずれかに記載の包装体。
【請求項５】
バーコードがインクジェット記録方式により包装容器に直接印字されていることを特徴とする請求項１〜請求項４のいずれかに記載の包装体。
【請求項６】
バーコードの上に透明な保護層が形成されていることを特徴とする請求項１〜請求項５のいずれかに記載の包装体。
【請求項７】
請求項１〜請求項６のいずれかに記載された包装体に対して、該バーコードを読み取り装置により読み取り、その読み取り情報を用いて通信手段により懸賞に応募することを特徴とする懸賞応募システム。
【発明の詳細な説明】
【技術分野】
【０００１】
本発明はカップラーメン、缶詰などの食料品、菓子、飲料入り缶、飲料入りボトル、電気製品などを包装し輸送する際に使用される段ボール箱、板紙箱などの包装容器に関し、特に、懸賞に応募するためのバーコード情報が表示されている包装容器および包装体に関する。また、それを用いた懸賞応募方法に関する。
【背景技術】
【０００２】
商品宣伝の一貫として、商品にラベルを添付し、購入した消費者がラベルを多数枚ためて葉書に添付して懸賞に応募するシステムが良く知られている。ラベルではなく、包装体の一部に特定マークの印刷が施され、それを切り取って集める方式も同様である。
これらの方法では、消費者は葉書にラベル等を添付するというわずらわしい作業がある。そこで、葉書に貼り付ける作業をなくすため、バーコード等の表示を商品に付し、バーコードリーダーでその表示情報を読み取り、携帯電話などにより懸賞に応募するシステムが特許文献１に開示されれている。
【０００３】
また、同公報には、その際に１つの商品に固有の識別情報を付することにより、同一商品で２度の応募を行えないようにする方法や、箱にバーコード表示を行うことにより、複数個の商品についてまとめて懸賞に応募できる方法も開示されている。
【０００４】
一方、極最近では、二次元バコードなどをカメラ付き携帯電話で読み取り、携帯電話の画面に表示されたメールアドレスあるいはホームページアドレスなどに簡単に接続できるシステムが出始めている。
【特許文献１】特開２００３−１５０７４５号公報（特許請求の範囲）
【発明の開示】
【発明が解決しようとする課題】
【０００５】
上記カメラ付き携帯電話でバーコードを読み取る技術は当然のことながら、特許文献１のシステムに適用できる。このように便利になる反面、商品が陳列されている店先で購入しない人がバーコードを読み取ることが可能になるという問題が発生する。
そこで、本発明では、商品を購入しない人がバーコードを読み取ることを防止する方法を提供することを課題とする。
【課題を解決するための手段】
【０００６】
上記課題を解決するため、本発明は以下の（１）〜（７）の構成を採用する。
（１）  容器表面からは見えないが開封した後に読み取ることができる位置に懸賞応募用バーコードが表示されている包装容器に内容物が包装された包装体。
（２）  包装容器は段ボール箱であり、バーコードは段ボール箱の内フラップの外側表面に表示されていることを特徴とする上記（１）に記載の包装体。
（３）  該包装容器に缶あるいは瓶入り飲料が多数本包装されていることを特徴とする上記（１）または（２）に記載の包装体。
（４）  バーコードが二次元バーコードであることを特徴とする上記（１）〜（３）のいずれかに記載の包装体。
（５）  バーコードがインクジェット記録方式により包装容器に直接印字されていることを特徴とする上記（１）〜（４）のいずれかに記載の包装体。
（６）  バーコードの上に透明な保護層が形成されていることを特徴とする上記（１）〜（５）のいずれかに記載の包装体。
（７）  上記（１）〜（６）のいずれかに記載された包装体に対して、該バーコードを読み取り装置により読み取り、その読み取り情報を用いて通信手段により懸賞に応募することを特徴とする懸賞応募システム。
【発明の効果】
【０００７】
本発明により、未購入者がスーパー等の店頭でバーコードを読取ることを防止することができ、未購入者が懸賞に応募することを防止できるものである。
【発明を実施するための最良の形態】
【０００８】
本発明が対象とする包装容器とは、段ボール箱、板紙箱、袋などである。前記したように、商品宣伝の一貫として懸賞を行うような物品を対象とするものであり、また、後述するように、極力簡便な懸賞応募システムにするという目的から、個別物品が多数個箱詰め包装され、消費者が箱ごとまとめて購入するような商品を対象とする。
例えば、缶飲料24本入り段ボール箱、ドリンク剤瓶12本入りマルチパック板紙ケース、カップラーメン12個入り段ボール箱、紙パック入り飲料20個入り段ボール箱などが例示される。缶飲料とは、金属缶入りのジュース、ビール、コーヒー、お茶などを示す。
【０００９】
本発明で言うバーコードとは、従来の所謂バーコード（一次元バーコード、ＪＡＮコード）、及び二次元バーコードが挙げられる。二次元バーコードとしては、例えば、ＪＩＳ  Ｘ０５１０に規定されているＱＲコードが使用できる。二次元バーコードは単に二次元コードと呼ばれていることもあり、本明細書では、同様の意味で用いる。
本発明では、消費者がバーコード情報をデジタルカメラにより読み取って通信回線により懸賞に応募するシステムを想定しているため、一つの包装容器に付されたバーコード表示情報は一つづつ異なる固有のものである必要がある。
【００１０】
本発明でバーコード表示は、一例として、バーコードを印字したラベルを包装容器に貼付することにより得られる。ラベルは粘着ラベルまたはヒートシールラベルが好ましい。ラベルへの印字はインクジェット記録方式、感熱記録方式、熱転写記録方式のいずれでも良い。印字の上にはこれらの記録方式による記録体の分野で公知の透明保護層を形成しても良い。
【００１１】
また、本発明ではバーコード表示を包装容器に対して直接インクジェット記録方式で印字することも可能であり、好ましい態様である。
この場合、バーコードの読み違いがおこらないよう、バーコード印字予定領域に予め下塗層を形成しておいても良い。
また、インクジェットでバーコードを印字した後に、保護層を形成しても良い。下塗層や保護層は、フレキソ印刷方式、ロール塗工方式、スタンプ方式、インクジェット方式、エアースプレイ方式などの方式により形成することができる。
【００１２】
以下、表現を解り易くするため、缶飲料24本入り段ボール箱を例に説明する。
前述したが、缶1本づつにラベルを貼り、消費者がラベルを葉書に貼り付け、例えば24枚たまると懸賞に応募できるというような懸賞方式が良く行なわれている。しかし、その方法では、缶1本づつにラベルを添付するラベル代がかかり、また、高速で動く缶ラインで1本づつラベルを貼る装置が必要となる。
本発明によれば、ラベルを使用するとしても、ラベル貼付の回数が少なく、ラベルの枚数は1/24になる。
【００１３】
本発明の特徴は、バーコード表示を段ボール箱の外側には行わず、購入して箱を開封した後に始めて見られる位置にバーコードを表示することに特徴がある。
開封した後に始めて見られる位置としては箱の内側表面が、まず挙げられる。
【００１４】
また、段ボール箱には図１あるいは図２に示すようなフラップが存在する。フラップは一般的には一方の開放端につき4枚存在し、包装する際にそのうち2枚が内側に位置し（以下、内フラップと称する）、残りの2枚が外側に位置する（以下、外フラップと称する）。内フラップの外面は、箱の外側表面の延長上で外側ライナーの表面になるが、箱を組んでフラップを接着して密閉した後には、外フラップにより被覆されているので、箱を開封しないと見ることはできない。従って、内フラップの外面にバーコード表示する方法は本発明で実施し得る好ましい形態である。
【００１５】
バーコードの表示をインクジェット記録方式で箱に直接印字する場合には、箱の内面に印字するよりも、内フラップの外面に印字する方が簡単である。
【００１６】
ビール、ジュースなどの飲料缶の場合、箱詰め工程において水がかかることも多く、或いは冷蔵輸送したり、内容物が冷たいために結露水が箱に付着したりすることも多い。
インクジェット方式によりバーコードを印字した部分が水により溶けたり、滲んだりすると情報が読めなくなるので、印字にはある程度の耐水性が必要である。
インクジェット方式には、後述するように、水性インク、油性インク、ＵＶ（紫外線）硬化型インクがあるが、ＵＶ硬化型インクと油性インクは耐水性が高く、水性インクは耐水性が低い。通常の段ボール箱は水系のフレキソインクで印刷することが想定されており、フレキソインクが適度に浸透し速やかに乾燥されるようになっている。
従って、水性インクジェットで印字する場合には、それに適した吸水性を有していると考えられるが、耐水性が不足するので、バーコード印字予定部のみにカチオン性化合物などの定着剤を有する下塗層を形成することが好ましい。
【００１７】
耐水性がある、油性インクジェット或いはＵＶ硬化型インクジェットを使用することも好ましい。いずれの場合でも、インクが紙中に浸透してしまうことは好ましくないので、適当なサイズ度に紙を調節しておくか、或いは、バーコード印字予定部のみにインク吸収性を調整する下塗層を形成することが好ましい。
【００１８】
内フラップ外面にバーコードをインクジェット印字した時の問題として、以下のようなことがある。
段ボール箱に缶を詰めて封緘する際に、始めに内フラップを折り曲げ、次いで内フラップの一部にホットメルト接着剤を塗布して、その上から外フラップを折り曲げて接合することが多い。接着剤としては、酢酸ビニルエマルジョンのような水性接着剤も使用できる。
接着剤を内フラップに供給する際には、バーコード印字部分にはかからないようにするが、誤って接着剤がバーコード印字部にかかることも懸念される。特に、24缶入り飲料缶ケース等の飲料缶ケースでは、その段ボール箱の形状は、主にラップアラウンド形状（ＪＩＳ  Ｚ  １５０７、コード番号０４１０、箱形状例は図２、ブランク形状例は図３参照）であるが、ラップアラウンド形状は、Ａ式（ＪＩＳ  Ｚ  １５０７、コード番号０２０１等、箱形状例は図１参照）に比較して、内フラップ部の面積が少なく、前記懸念が大きい。
【００１９】
そこで、バーコードをインクジェトで印字した後、その上に保護層を設けることにより、前記問題を解決することができる。
保護層としては、インクジェットインクの成分との関係もあるが、通常、板紙印刷の保護層として使用されている水性あるいは溶剤系のオーバープリントニスを適宜選択して適用すれば良い。その際に、保護層の成分中に、シリコーン、フッ素樹脂などの離型性を有する成分を混合しておけば、接着剤に対する保護としてより確実になる。
【００２０】
二次元コード印刷の方法としては、インクジェット印刷が１ケース毎に情報を替えることができ、印版も不要のことから、懸賞応募コードである二次元コードの印刷方法としては最適である。
しかしながら、ビール２４缶ケース等の飲料缶ケースにおいて、ケースを大量生産する場合には、１００ケース以上の単位にて、二次元コードをフレキソ印刷で行ない、１ケース毎の認識のため、ケース外面に１ケース毎に異なる数値・記号・文字もしくはバーコード（以下、これらをケース固有情報とも言う）をインクジェット方式もしくはスタンプ方式で印刷するものである。（図４参照）
ケース外面の印刷は、段ボールケース製造時でも良く、内容物梱包時でも良いものである。
また、１００ケース以上の単位の二次元コード印刷は、段ボールシート貼合前の所謂プレプリント印刷でも良く、段ボールケース製造時の印刷でも良いものである。
【００２１】
本発明は、未購入者が懸賞に応募することを防止することを主たる目的としているが、同時に、消費者に手間がかからない簡便な懸賞応募方法を提供することも目的としている。そのため、本発明では、例えば、24缶入り缶飲料を段ボール箱に詰めた包装体において、包装体に懸賞応募用バーコードを表示するものである。従って、好ましい態様としては、缶１本ごとにはバーコード表示を行わない。即ち、箱単位で購入した消費者がなるべく簡単な手間で懸賞に応募できるようにすることが本発明の別の目的である。以下、懸賞応募システムについて説明する。
【００２２】
本発明の懸賞応募システムに必要なものは、バーコード読み取り装置、バーコード情報、通信手段、受け取り側の情報処理サーバーである。通信手段には、有線または無線の電話機等の送信機械、通信回線および読み取り情報を送信するプログラムが必要である。
【００２３】
読み取り装置としては、専用のバーコードリーダー、デジタルカメラ、カメラ付きパソコン、カメラ付き携帯電話などが使用できる。
このうち、カメラ付き携帯電話は、通信手段にもなるので最も便利である。
【００２４】
デジタルカメラで読み取る場合は、デジタルカメラからメモリー媒体あるいはＵＳＢ端子などを通してパソコンに情報を転送し、パソコンのメモリー上またはハードディスク上にバーコードより読み取られた画像情報を格納する。以下はカメラ付きパソコンも同様である。
パソコンは、パソコン上のメモリーに格納された画像情報を文字列に置き換え、メモリーに文字情報として格納し、画面に表示するソフトウェアを有している必要がある。
【００２５】
次に、パソコンは前記文字情報を通信回線により、受け取り側の情報処理サーバーに送信するプログラムを備えている必要がある。このプログラムとしては、通常のインターネット接続用のソフトウェアが使用できる。
前記文字情報が受け取り側のホームページアドレスあるいは電子メールアドレスである場合には、その情報を送信プログラム上の送信アドレス欄にコピーすることで簡単に送信することができる。
あるいは、カメラからの画像情報処理、送信までを一括して含むプログラムを作成して使用することも可能である。
【００２６】
カメラ付き携帯電話を使用する場合、カメラで読み取ったバーコード画像を文字情報に変換し、内蔵するメモリー領域に格納し、画面に表示する機能を備えた携帯電話が既に販売されている。例えば、ＮＴＴドコモ社のＳＨ５０５Ｉ、ＦＯＭＡ、ボーダフォン社のＪ−ＳＨ０１０などである。
これらのカメラ付き携帯電話では、前記文字情報が、受け取り側のホームページアドレスあるいは電子メールアドレスである場合には、実行キーを押すだけで直ちに送信が可能なプログロムが内蔵されている。
【００２７】
本発明のバーコード情報は、少なくとも受け取り側のホームページアドレスあるいは電子メールアドレスが必要である。また、前記したように、一つの包装体に固有の番号（ケース固有情報）を記載する必要があり、同一の番号は一つにしか使用しない。
受け取り側の情報処理サーバーにおいては、一度懸賞に応募された番号を記録しておくことにより、同じ包装体で複数回の応募が行われることを防止できる。
【００２８】
送信側のパソコンあるいは携帯電話には、あらかじめユーザー登録しておき、受け取り側で動作するプログラムと連動して動作するプログラムを保有していることが最も好ましく、その場合には、応募者は住所、氏名などの送信を何度も繰り返さずに済む。
【００２９】
しかしながら、そのような専用のシステムがなくても、前記した、カメラで読み取ったバーコード画像を文字情報に変換し、内蔵するメモリー領域に格納し、画面に表示する機能を備えた携帯電話を使用すれば、受け取り側のホームページに直ちに繋がり、その次に、受け取り側より求められる包装体の固有番号についても、既にカメラで読み込んで表示されている文字列の範囲を指定し、送信することにより、比較的簡単に懸賞に応募できる。更に、同様な操作で、応募者の電子メールアドレスまたは住所・氏名を送信することにより、応募者を特定できる。
このように、カメラで読み取ったバーコード画像を文字情報に変換し、内蔵するメモリー領域に格納し、画面に表示する機能を備えたカメラ付き携帯電話によれば、あらかじめユーザー登録したりすることもなく、初めて包装体に表示されたバーコードを見た人でも、直ぐに懸賞に応募することが可能になる。
【実施例】
【００３０】
以下、本発明を実施例に従って説明する。
＜実施例１＞
ダブルフェーサー側（箱外側）ライナとして、ＰＦＫライナ（王子板紙製、坪量160g/m2）、中芯として、坪量120g/m2の中芯原紙（王子板紙製）、シングルフェーサー側ライナとして坪量220g/m2のＯＮＲＫ（王子板紙製）を使用して貼合し、段ボールシートを得た。
多色フレキソ輪転印刷機にて、箱外側表面にフレキソ印刷を施すと同時に同じフレキソ印刷機で、内フラップ外側表面に下記の下塗層（インクジェット印字用インク受容層）を形成した。上記フレキソ印刷が乾燥した後に、内フラップの外側表面となる位置に、黒の水性インクによりインクジェット記録方式により二次元コードを印字した。
次に、この段ボールシートを図３の形状に打ち抜き、製函機で製函しラップラウンド形式の段ボール箱を製造した。
更に、この箱で、重量375ｇ／本の缶ビール20本を包装して、バーコード表示領域には接着剤がかからないようにしながら、外フラップをホットメルト接着剤により内フラップに接着させ、段ボール箱包装体を完成した。（図５）。
＜下塗層＞
バインダーとしてのシラノール化ポリビニルアルコール（Ｒ−１１３０：クラレ製）8部、顔料としてのシリカ（ファインシール：トクヤマ製）10部、ポリアクリル酸ソーダ（分散剤：東亜合成製）1.2部、にイソプロピルアルコール6部、水76部を加え、十分混合して固形分18％のフレキソインクを調製した。これをバーコード印字予定領域周辺（5cm×5cm）に固形分坪量換算で5g/m2印刷し、乾燥して下塗層を得た。
【図面の簡単な説明】
【００３１】
【図１】Ａ式箱の内フラップ外側表面にバーコード表示した例。
【図２】ラップラウンド形式箱の一例。
【図３】ラップラウンド形式箱用のブランクシートの一例。
【図４】二次元コードとケース固有番号を異なる位置に表示する例。
【図５】ラップラウンド形式箱の内フラップ外側表面にバーコード表示し、缶を箱につめる途中の例。
【符号の説明】
【００３２】
１．内フラップ
２．外フラップ
３．二次元コード表示
４．ケース固有番号表示
【図１】
2005298018.tif 000003
【図２】
2005298018.tif 000004
【図３】
2005298018.tif 000005
【図４】
2005298018.tif 000006
【図５】
2005298018.tif 000007